【手続補正書】
【提出日】令和2年5月11日(2020.5.11)
【手続補正１】
【補正対象書類名】特許請求の範囲
【補正対象項目名】全文
【補正方法】変更
【補正の内容】
【特許請求の範囲】
【請求項１】
キャパシタ素子を含むキャパシタアセンブリであって、
前記キャパシタ素子は、
バルブメタル化合物を含む多孔質陽極体；
前記陽極体の上に配されている、バルブメタル化合物の酸化物を含む誘電体；
前記誘電体の上に配されている、スルホニルイオンを含む少なくとも１つの導電性ポリマー層を含む固体電解質；及び
前記誘電体の酸化物に結合しており、スルホニルイオンに結合することができる有機官能性シラン；
を含む上記キャパシタアセンブリ。
【請求項２】
前記有機官能性シラン化合物が次の一般式（Ｉ）：
【化１】
2019537281.tif 000001
（式中、
Ｒ１、Ｒ２、及びＲ３は、独立して、アルキル、アルケニル、アリール、ヘテロアリール、シクロアルキル、ヘテロシクリル、ハロ、ハロアルキル、又はヒドロキシアルキルであり；
Ｘは、スルホニルイオンに結合することができる官能基である）
を有する、請求項１に記載のキャパシタアセンブリ。
【請求項３】
Ｒ１、Ｒ２、及びＲ３の少なくとも１つがヒドロキシアルキルである、請求項２に記載のキャパシタアセンブリ。
【請求項４】
Ｘがアミノ基である、請求項２に記載のキャパシタアセンブリ。
【請求項５】
前記有機官能性シラン化合物が、次の一般式（ＩＩ）：
【化２】
2019537281.tif 000002
（式中、
Ｒ１、Ｒ２、及びＲ３は、独立して、アルキル、アルケニル、アリール、ヘテロアリール、シクロアルキル、ヘテロシクリル、ハロ、ハロアルキル、又はヒドロキシアルキルであり；
Ｒ４及びＲ５は、独立して水素、アルキル、アルケニル、アリール、ヘテロアリール、シクロアルキル、ヘテロシクリル、ハロ、ハロアルキル、ヒドロキシアルキルであるか、或いは、Ｎ、Ｒ４、及びＲ５は、１以上の更なる原子と一緒に環構造を形成し；そして
Ｚは有機基である）
を有するモノアミノ官能性シランである、請求項１に記載のキャパシタアセンブリ。
【請求項６】
前記モノアミノ官能性シランが第１級アミンである、請求項５に記載のキャパシタアセンブリ。
【請求項７】
前記第１級アミンが、３−アミノプロピルトリエトキシシラン、３−アミノプロピルトリメトキシシラン、４−アミノブチルトリエトキシシラン、ｍ−アミノフェニルトリメトキシシラン、ｐ−アミノフェニルトリメトキシシラン、アミノフェニルトリメトキシシラン、３−アミノプロピルトリス（メトキシエトキシ）シラン、１１−アミノウンデシルトリエトキシシラン、２−（４−ピリジルエチル）トリエトキシシラン、２−（トリメトキシシリルエチル）ピリジン、Ｎ−（３−トリメトキシシリルプロピル）ピロール、３−（ｍ−アミノフェノキシプロピルトリメトキシシラン、アミノプロピルシラントリオール、３−アミノプロピルメチルジエトキシシラン、３−アミノプロピルジイソプロピルエトキシシラン、３−アミノプロピルジメチルエトキシシラン、又はこれらの組合せである、請求項６に記載のキャパシタアセンブリ。
【請求項８】
前記モノアミノ官能性シランが第２級アミンである、請求項５に記載のキャパシタアセンブリ。
【請求項９】
前記第２級アミンが、Ｎ−ブチルアミノプロピルトリメトキシシラン、Ｎ−エチルアミノイソブチルトリメトキシシラン、ｎ−メチルアミノプロピルトリメトキシシラン、Ｎ−フェニルアミノプロピルトリメトキシシラン、３−（Ｎ−アリルアミノ）プロピルトリメトキシシラン、シクロヘキシルアミノメチル）トリエトキシシラン、Ｎ−シクロヘキシルアミノプロピルトリメトキシシラン、Ｎ−エチルアミノイソブチルメチルジエトキシシラン、（フェニルアミノエチル）メチルジエトキシシラン、Ｎ−フェニルアミノメチルトリメトキシシラン、Ｎ−メチルアミノプロピルメチルジメトキシシラン、又はこれらの組合せである、請求項８に記載のキャパシタアセンブリ。
【請求項１０】
前記有機官能性シラン化合物が、次の一般式（ＩＩＩ）：
【化３】
2019537281.tif 000003
（式中、
Ｒ１、Ｒ２、及びＲ３は、独立して、アルキル、アルケニル、アリール、ヘテロアリール、シクロアルキル、ヘテロシクリル、ハロ、ハロアルキル、又はヒドロキシアルキルであり；
Ｒ４及びＲ５は、独立して水素、アルキル、アルケニル、アリール、ヘテロアリール、シクロアルキル、ヘテロシクリル、ハロ、ハロアルキル、ヒドロキシアルキルであるか、或いは、Ｎ、Ｒ４、及びＲ５は、１以上の更なる原子と一緒に環構造を形成し；そして
Ｚ１及びＺ２は、独立して有機基である）
を有するジアミノ官能性シランである、請求項１に記載のキャパシタアセンブリ。
【請求項１１】
前記ジアミノ官能性シランが、Ｎ−（２−アミノエチル）アミノプロピルトリメトキシシラン、Ｎ−（２−アミノエチル）−３−アミノプロピルトリメトキシシラン、Ｎ−（６−アミノヘキシル）アミノメチルトリエトキシシラン、Ｎ−（６−アミノヘキシル）アミノプロピルトリメトキシシラン、Ｎ−（２−アミノエチル）−１１−アミノウンデシルトリメトキシシラン）、（アミノエチルアミノメチル）フェネチルトリメトキシシラン、Ｎ−３−［（アミノ（ポリプロピレノキシ）］−アミノプロピルトリメトキシシラン、Ｎ−（２−アミノエチル）−３−アミノプロピルシラントリオール、Ｎ−（２−アミノエチル）−３−アミノプロピルメチルジメトキシシラン、Ｎ−（２−アミノエチル）−３−アミノイソブチルメチルジメトキシシラン、（アミノエチルアミノ）−３−イソブチルジメチルメトキシシラン、又はこれらの組合せである、請求項１０に記載のキャパシタアセンブリ。
【請求項１２】
前記陽極体がタンタルを含み、前記誘電体が五酸化タンタルを含む、請求項１に記載のキャパシタアセンブリ。
【請求項１３】
前記導電性ポリマー層が外因性導電性ポリマー及びスルホニル対イオンを含む、請求項１に記載のキャパシタアセンブリ。
【請求項１４】
前記外因性導電性ポリマーが次式：
【化４】
2019537281.tif 000004
（式中、
Ｒ７は、線状又は分岐のＣ１〜Ｃ１８アルキル基；Ｃ５〜Ｃ１２シクロアルキル基；Ｃ６〜Ｃ１４アリール基；Ｃ７〜Ｃ１８アラルキル基であり；そして
ｑは０〜８の整数である）
の繰り返し単位を有する、請求項１３に記載のキャパシタアセンブリ。
【請求項１５】
前記外因性導電性ポリマーがポリ（３，４−エチレンジオキシチオフェン）である、請求項１３に記載のキャパシタアセンブリ。
【請求項１６】
前記スルホニル対イオンがポリスチレンスルホン酸又はその塩である、請求項１３に記載のキャパシタアセンブリ。
【請求項１７】
前記導電性ポリマー層が、次式：
【化５】
2019537281.tif 000005
（式中、
Ｒは（ＣＨ２）ａ−Ｏ−（ＣＨ２）ｂであり；
ａは０〜１０であり；
ｂは１〜１８であり；
Ｚはアニオンであり；
Ｘはカチオンである）
の繰り返し単位を有する固有導電性ポリマーを含む、請求項１に記載のキャパシタアセンブリ。
【請求項１８】
前記固有導電性ポリマーが、ポリ（４−（２，３−ジヒドロチエノ−［３，４−ｂ］［１，４］ジオキシン−２−イルメトキシ）−１−ブタンスルホン酸，塩）、ポリ（４−（２，３−ジヒドロチエノ−［３，４−ｂ］［１，４］ジオキシン−２−イルメトキシ）−１−プロパンスルホン酸，塩）、又はこれらの組合せである、請求項１７に記載のキャパシタアセンブリ。
【請求項１９】
前記導電性ポリマー層が、予め重合された導電性ポリマー粒子の分散液から形成される、請求項１に記載のキャパシタアセンブリ。
【請求項２０】
前記固体電解質がin-situ重合された導電性ポリマーを概して含まない、請求項１に記載のキャパシタアセンブリ。
【請求項２１】
前記固体電解質の上に配されている、予め重合された導電性ポリマー粒子及び架橋剤を含む外側ポリマー被覆を更に含む、請求項１に記載のキャパシタアセンブリ。
【請求項２２】
前記陽極体と電気的に接続されている陽極終端；
前記固体電解質と電気的に接続されている陰極終端；及び
前記キャパシタ素子を収容し、前記陽極終端及び前記陰極終端の少なくとも一部を露出した状態にしているハウジング；
を更に含む、請求項１に記載のキャパシタアセンブリ。
【請求項２３】
前記ハウジングが、前記キャパシタ素子を封入する樹脂材料から形成される、請求項２２に記載のキャパシタアセンブリ。
【請求項２４】
前記ハウジングがその中に前記キャパシタ素子が配置される内部空洞を画定し、前記内部空洞が不活性ガスを含む気体雰囲気を有する、請求項２２に記載のキャパシタアセンブリ。
【請求項２５】
キャパシタ素子を形成する方法であって、
焼結多孔質陽極体を陽極酸化してバルブメタル化合物の酸化物を含む誘電体を形成すること；
有機官能性シラン化合物を含む溶液を前記陽極に施すこと；
導電性ポリマー粒子及びスルホニル対イオンを含む分散液を施して、導電性ポリマー層を形成すること；及び
前記有機官能性シラン化合物を前記誘電体の酸化物に結合させること；
を含む上記方法。
【請求項２６】
前記溶液が有機溶媒を含む、請求項２５に記載の方法。